(57)【要約】        【課題】  スロットマシン用の検査装置、及びこれを用いて検査可能なスロットマシンに関し、アンテナを取り付けたアームを筐体の内部に移動させることで、前面扉を閉じた状態で、例えばＲＦＩＤ等の記憶媒体に格納された情報の読み込み、又は書き込みの少なくとも何れかを一方を行うことをできるようにすることを目的とする。        【解決手段】  スロットマシン200の検査が可能な検査装置100であって、検査装置100は、記憶媒体（例えばＲＦＩＤ300）の情報を読み取る際に移動させる移動可能なアーム120、アーム120にアンテナ110を取り付けることによって、記憶媒体（例えばＲＦＩＤ300）の情報の読み込み又は書き込みの少なくとも何れか一方が可能な読込・書込装置（図示せず）、アーム120を中空箱体210の内部に移動させる制御をする移動制御装置を備える。    【選択図】    図１
2005058313.tif 000002
【特許請求の範囲】
【請求項１】
前面の少なくとも一部を開放した中空箱形の中空箱体、及び前記前面の開放部に開閉可能に取り付けられる前面扉からなる筐体と、
前記筐体の外部から内部への電波の侵入を遮断する電波遮断部材とを備え、
前記筐体の中空部には、
図柄を可変表示可能なリールユニットと、
メダルを払い出し可能なホッパーユニットと、
前記リールユニット及びホッパーユニットにそれぞれ接続され、前記リールユニット及びホッパーユニットに電力を供給する電源ユニットと、
前記リールユニット及びホッパーユニットにそれぞれ接続され、前記リールユニット及びホッパーユニットを制御する電子制御装置とを備え、
前記リールユニット、前記ホッパーユニット、前記電源ユニット、前記電子制御装置の少なくとも何れか１つには、当該１つに固有な情報が記憶された記憶媒体を備えるスロットマシンの検査が可能な検査装置であって、
前記検査装置は、
前記記憶媒体の情報を読み取る際に移動させる移動可能なアームと、
前記アームにアンテナを取り付けることによって、前記記憶媒体の情報の読み込み又は書き込みの少なくとも何れか一方が可能な読込・書込装置と、
前記アームを前記筐体の内部に移動させる制御をする移動制御装置とを備えていることを特徴とするスロットマシン用の検査装置。
【請求項２】
請求項１に記載のスロットマシン用の検査装置であって、
前記検査装置は、
前記移動制御装置の移動制御にもとづいて、前記アンテナを有する前記アームを、前記筐体の内部において移動可能に駆動させる移動駆動装置を備えていることを特徴とするスロットマシン用の検査装置。
【請求項３】
請求項１又は請求項２に記載のスロットマシン用の検査装置が用いられるスロットマシンであって、
前記筐体には、内外に貫通し、前記アンテナを挿入可能な検査穴を設けていることを特徴とするスロットマシン。
【請求項４】
請求項３に記載のスロットマシンであって、
前記スロットマシンには、前記検査穴を閉塞可能な蓋部材を備えていることを特徴とするスロットマシン。
【請求項５】
請求項４に記載のスロットマシンであって、
前記スロットマシンには、前記検査穴が前記蓋部材により閉塞された状態に封印するための封印部材を備えていることを特徴とするスロットマシン。
【発明の詳細な説明】
【技術分野】
【０００１】
この発明は、スロットマシン用の検査装置、及びこれを用いて検査可能なスロットマシンに関するものである。
【背景技術】
【０００２】
従来、遊技機では、遊技性に係る主要な制御を行うメイン基板等の電子制御装置に、非接触でＩＤコード等を認識可能とさせる記憶媒体となるＲＦＩＤ（Radio Frequency Identification、以下「ＲＦＩＤ」という。）を装着し、ＲＦＩＤに対し情報の読み書きをできるようにしたものがある。
上記ＲＦＩＤは、読込・書込装置にもとづく電波を介して非接触に情報を読み書き可能な記憶媒体で、集積回路（記憶部を含む。）とアンテナ部等とからなる応答機である。そして、読込・書込装置は、制御部と、発信部と、アンテナ部等とからなる質問機である。
【０００３】
一方、スロットマシンは、一般的には、その筐体の内部に配置する遊技者の操作に応じて電気的な制御処理を行う電子制御装置の誤動作防止のために、該内部に進入する電波を遮断するシート等を装着したり、或いは電波を遮断する素材を用いた筐体の構成としている。
【発明の開示】
【発明が解決しようとする課題】
【０００４】
しかし、上記した従来のスロットマシンの場合には、その筐体の内部に電波遮断シート等が装着されているため、前面扉を閉めると、ＲＦＩＤに対し発信された電波が電波遮断シートに遮断され、筐体の外部から読込・書込装置の電波を介して行うＲＦＩＤの情報が読み書きが不能になってしまうという問題点があった。
すなわち、従来のスロットマシンでは、筐体の前面側方に軸支されている前面扉の開放後、筐体の内部に読込・書込装置のアンテナ部を入れ、ＲＦＩＤに対し情報の読み書きを実行するようにし、その後、前面扉を閉じなければならなかった。しかし、前面扉の開閉が面倒で、時間が掛かるという欠点があった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、記憶媒体に対し読み書きの少なくとも何れか一方を行う検査装置に関し、次の点を目的とする。
【０００６】
すなわち、請求項１に記載の発明は、アンテナを取り付けたアームを筐体の内部に移動させることで、前面扉を閉じた状態で、例えばＲＦＩＤ等の記憶媒体に格納された情報の読み込み、又は書き込みの少なくとも何れかを一方を行うことをできるようにしたものである。
これに加え、請求項１に記載の発明によれば、スロットマシンの工場での検査のほか、リサイクル回収時、又は部品故障等による部品交換時におけるＲＦＩＤ等の記憶媒体に格納された情報の正否判定及び書き込み更新を行うことができる。
（請求項２）
請求項２に記載の発明は、前記検査装置に関し、上記した請求項１に記載の発明の目的に加え、次の点を目的とする。
【０００７】
すなわち、請求項２に記載の発明は、移動駆動装置により生成される駆動力を使用してアンテナを移動させることができるようにし、情報の読み書きの際における電波の指向性に対応できるようにしたものである。
（請求項３）
請求項３に記載の発明は、スロットマシンに関し、上記した請求項１又は請求項２に記載の発明の目的に加え、次の点を目的とする。
【０００８】
すなわち、請求項３に記載の発明は、読込・書込装置又はアームの移動機能に応じて適宜箇所に検査穴を設けることで、該検査穴を通じてアンテナを、筐体の内部に移動させることができるようにしたものである。
（請求項４）
請求項４に記載の発明は、スロットマシンに関し、上記した請求項３に記載の発明の目的に加え、次の点を目的とする。
【０００９】
すなわち、請求項４に記載の発明は、未使用時には、筐体の内部に貫通し、電波遮断機能や防犯機能を低下させてしまう検査穴を蓋部材で閉塞することができるようにしたものである。
よって、電波遮断可能な蓋部材であると好適である。
（請求項５）
請求項５に記載の発明は、スロットマシンに関し、上記した請求項４に記載の発明の目的に加え、次の点を目的とする。
【００１０】
すなわち、請求項５に記載の発明は、検査穴を蓋部材により閉塞された状態に封印し、封印解除する際に何らかの痕跡を残させるようにすることで、検査穴を介して筐体の内部に配置された電子制御装置等に行う不正行為を未然に防止することができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、検査装置に関し、次の点を特徴とする。
【００１２】
第一に、スロットマシン(200)には、例えば図１に示すように、次の構成を備える。
（１）中空箱体(210)
中空箱体(210)は、例えば図１に示すように、前面の少なくとも一部を開放した中空箱形のものである。
（２）前面扉(220)
前面扉(220)は、例えば図１に示すように、前面の開放部に開閉可能に取り付けられるものである。
【００１３】
（３）電波遮断部材（図示せず）
電波遮断部材は、図示しないが、筐体(201)の外部から内部への電波の侵入を遮断するものである。
第二に、中空箱体(210)及び前面扉(220)からなる筐体(201)の中空部(290)には、例えば図１に示すように、次の構成を備える。
【００１４】
（４）リールユニット(500)
リールユニット(500)は、図示しないが、図柄を可変表示可能なものである。
（５）ホッパーユニット(530)
ホッパーユニット(530)は、図示しないが、メダルを払い出し可能なものである。
（６）電源ユニット(520)
電源ユニット(520)は、図示しないが、リールユニット(500)及びホッパーユニット(530)にそれぞれ接続され、リールユニット(500)及びホッパーユニット(530)に電力を供給するものである。
【００１５】
（７）電子制御装置（例えば主基板510）
電子制御装置（例えば主基板510）は、図示しないが、リールユニット(500)及びホッパーユニット(530)にそれぞれ接続され、リールユニット(500)及びホッパーユニット(530)を制御するものである。
なお、電子制御装置は、主基板(510)に限定されず、例えば図１に示すように、サブ基板(540)を含んでいても良い。
【００１６】
（８）記憶媒体（例えばＲＦＩＤ300）
記憶媒体（例えばＲＦＩＤ300）は、リールユニット(500)、ホッパーユニット(530)、電源ユニット(520)、電子制御装置（例えば主基板510）の少なくとも何れか１つには、当該１つに固有な情報が記憶されたものである。
なお、記憶媒体は、ＲＦＩＤ(300)に限定されない。
【００１７】
第三に、スロットマシン(200)の検査が可能な検査装置(100)である。
第四に、検査装置(100)は、例えば図２に示すように、次の構成を備える。
（９）アーム(120)
アーム(120)は、例えば図２に示すように、記憶媒体（例えばＲＦＩＤ300）の情報を読み取る際に移動させる移動可能なものである。
【００１８】
（１０）読込・書込装置（図示せず）
読込・書込装置（図示せず）は、例えば図２に示すように、アーム(120)にアンテナ(110)を取り付けて、所定の電波を発信させることによって、記憶媒体（例えばＲＦＩＤ300）の情報の読み込み又は書き込みの少なくとも何れか一方が可能なものである。
なお、後述する実施の形態のにおける読込・書込装置は、情報の読み込みと、書き込みとの両方が可能な場合であって、情報の読み込みのみ可能な場合には、読込装置となり、書き込みのみ可能な場合には、書込装置となる。
【００１９】
（１１）移動制御装置（図示せず）
移動制御装置（図示せず）は、例えば図２に示すように、アーム(120)を筐体(201)の内部に移動させる制御をするものである。
（請求項２）
請求項２に記載の発明は、検査装置に関し、上記した請求項１に記載の発明の特徴点に加え、次の点を特徴とする。
【００２０】
すなわち、検査装置(100)は、例えば図２に示すように、移動制御装置（図示せず）の移動制御にもとづいて、アンテナ(110)を有するアーム(120)を、筐体(201)の内部において移動可能に駆動させる移動駆動装置(130)を備える。
（請求項３）
請求項３に記載の発明は、スロットマシンに関し、上記した請求項１又は請求項２に記載の発明の特徴点に加え、次の点を特徴とする。
【００２１】
すなわち、筐体(201)には、例えば図２に示すように、筐体(201)を構成する天板(270)の内外に貫通し、アーム(120)の移動にもとづいてアンテナ(110)を挿入可能な検査穴(271)を設けている。
なお、検査穴(271)を用いずに、取手穴(251,261)や、通気溝(281)等の既存の穴や溝を、検査穴として使用しても良い。
（請求項４）
請求項４に記載の発明は、スロットマシンに関し、上記した請求項１〜３のいずれか１項に記載の発明の特徴点に加え、次の点を特徴とする。
【００２２】
すなわち、スロットマシン(200)には、例えば図２に示すように、検査穴(271)を閉塞可能な蓋部材(400)を備えている。
（請求項５）
請求項５に記載の発明は、スロットマシンに関し、上記した請求項４に記載の発明の特徴点に加え、次の点を特徴とする。
【００２３】
すなわち、スロットマシン(200)には、例えば図２に示すように、検査穴(271)が蓋部材(400)により閉塞された状態に封印するための封印部材(410)を備えている。
【発明の効果】
【００２４】
本発明は、以上のように構成されているので、以下に記載されるような効果を奏する。
（請求項１）
請求項１に記載の発明によれば、記憶媒体に対し読み書きの少なくとも何れか一方を行う検査装置に関し、次のような効果を奏する。
すなわち、請求項１に記載の発明によれば、アンテナを取り付けたアームを筐体の内部に移動させることで、前面扉を閉じた状態で、例えばＲＦＩＤ等の記憶媒体に格納された情報の読み込み、又は書き込みの少なくとも何れかを一方を行うことをできる。
【００２５】
これに加え、請求項１に記載の発明によれば、スロットマシンの工場での検査のほか、リサイクル回収時、又は部品故障等による部品交換時におけるＲＦＩＤ等の記憶媒体に格納された情報の正否判定及び書き込み更新を行うことができる。
（請求項２）
請求項２に記載の発明によれば、前記検査装置に関し、上記した請求項１に記載の発明の効果に加え、次のような効果を奏する。
【００２６】
すなわち、請求項２に記載の発明によれば、移動駆動装置により生成される駆動動力を使用してアンテナを移動させることができるようにし、情報の読み書きの際における電波の指向性に対応できる。
（請求項３）
請求項３に記載の発明によれば、スロットマシンに関し、上記した請求項１又は請求項２に記載の発明の効果に加え、次のような効果を奏する。
【００２７】
すなわち、請求項３に記載の発明によれば、読込・書込装置又はアームの移動機能に応じて適宜箇所に検査穴を設けることで、該検査穴を通じてアンテナを、筐体の内部に移動させることができる。
（請求項４）
請求項４に記載の発明によれば、スロットマシンに関し、上記した請求項３に記載の発明の効果に加え、次のような効果を奏する。
【００２８】
すなわち、請求項４に記載の発明によれば、未使用時には、筐体の内部に貫通し、電波遮断機能や防犯機能を低下させてしまう検査穴を蓋部材で閉塞することができる。
よって、電波遮断可能な蓋部材であると好適である。
（請求項５）
請求項５に記載の発明によれば、スロットマシンに関し、上記した請求項４に記載の発明の効果に加え、次のような効果を奏する。
【００２９】
すなわち、請求項５に記載の発明によれば、検査穴を蓋部材により閉塞された状態に封印し、封印解除する際に何らかの痕跡を残させるようにすることで、検査穴を介して筐体の内部に配置された電子制御装置等に行う不正行為を未然に防止することができる。
【発明を実施するための最良の形態】
【００３０】
（図面の説明）
図１〜４は、本発明の実施の形態の一例をそれぞれ示すものである。
図１は、検査装置及びスロットマシンの斜視図、図２は図１の一部拡大図、図３は検査穴を閉塞した蓋部材の断面図、図４は主基板及びケースの一部斜視図をそれぞれ示すものである。
（検査装置100）
図１〜２中、100は、検査装置を示すものである。
【００３１】
上記検査装置100は、後述するが、スロットマシン200内に配置された各種のパーツが取り付けられたスロットマシン200に関する情報を記憶する記憶媒体であるＲＦＩＤ300（Radio Frequency Identification、以下「ＲＦＩＤ」という。）の読み書きを行うことで、スロットマシン200に対する情報の読み込み識別や書き込み更新等の検査を行うためものである。
【００３２】
上記ＲＦＩＤ300は、読込・書込装置（図示せず）による制御処理にもとづいた電波を介して非接触に情報を読み書き可能な記憶媒体で、図示しないが、集積回路（記憶部を含む。）とアンテナ部等とからなる応答機である。
上記読込・書込装置は、図示しないが、制御部と、発信部と、アンテナ110（図１参照）等とからなる質問機である。
【００３３】
なお、記憶媒体は、ＲＦＩＤ300に限定されず、電波を介して非接触に情報を読み書き可能なものであれば良い。
具体的には、検査装置100は、大別すると、図２に示すように、次のパーツを備える。
（１）アーム120
（２）アンテナ110を有する読込・書込装置（図示せず）
（３）移動制御装置（図示せず）
（４）移動駆動装置130
なお、検査装置100のパーツは、上記した（１）〜（４）に限定されない。
（アーム120）
アーム120は、ＲＦＩＤ300の情報を読み書きする際に移動させる移動可能なものである。
【００３４】
なお、ＲＦＩＤ300の情報については、後述するが、固有な情報、例えばＩＤ番号等の情報が記憶されている。
（アンテナ110を有する読込・書込装置）
読込・書込装置は、図示しないが、アーム120にアンテナ110を取り付けることによって、ＲＦＩＤ300の情報の読み込み又は書き込みの少なくとも何れか一方を可能とするものである。
【００３５】
具体的には、読込・書込装置は、検査装置100に組み込まれ、スロットマシン200に対する情報の読み込み及び書き込みの両方が可能なシステムが使用されている。
なお、本実施の形態のにおける読込・書込装置は、情報の読み込みと、書き込みとの両方が可能な場合であって、情報の読み込みのみ可能な場合には、読込装置となり、書き込みのみ可能な場合には、書込装置となる。
【００３６】
また、読込・書込装置は、検査装置100に組み込む場合に限らず、遠隔通信が可能な集中管理コンピュータや無線通信が可能なハンディータイプのものでも良い。
（移動制御装置）
移動制御装置は、図示しないが、アーム120を、後述するが、スロットマシン200の筐体210の内部に移動させる制御を行う機能を有するものである。
【００３７】
移動制御装置は、図示しないが、マイクロコンピュータから構成され、例えばＣＰＵ、ＲＯＭやＲＡＭ等の記録媒体、Ｉ／Ｏ等を備えている。そして、ＣＰＵが、記録媒体、例えばＲＯＭに記録されたプログラムを読み込むことで、上記機能を奏するものである。
（移動駆動装置130）
移動駆動装置130は、移動制御装置（図示せず）の移動制御にもとづいて、アンテナ(110)を有するアーム(120)を、筐体(201)の内部において移動可能に駆動させるものである。
【００３８】
具体的には、移動駆動装置130は、図示しないが、次の装置を含んでいる。
なお、移動駆動装置130は、次の（１）〜（２）の装置に限定されない。また、移動駆動装置130は、読込・書込装置（図示せず）と統合され、互いの機能が連携し合う制御処理を行うようにすると好適である。
（１）直線移動装置
直線移動装置は、図示しないが、移動制御装置（図示せず）の移動制御にもとづく処理によって、アーム120を伸縮させることで、アンテナ110を上下動させるためのものである。
【００３９】
具体的には、直線移動装置は、図示しないが、例えばモータ等の駆動力により駆動され、当該モータを移動制御装置（図示せず）により制御している。
例えば、アーム120を伸長させると、アンテナ110が下降し、後述するが、検査穴271を通して筐体210と前面扉220との間隔内に形成される中空部290内に、アンテナ110が進入する。
【００４０】
これに対し、アーム120を短縮させると、アンテナ110が上昇し、中空部290内から検査穴271を通って、スロットマシン200の外部に出る。
なお、直線移動装置は、アーム120の伸縮に限定されず、アンテナ110を検査穴271から出入りさせることができるものであれば良い。
（２）回転装置
回転装置は、図示しないが、移動制御装置（図示せず）の移動制御にもとづく処理によって、アーム120の全体又は一部を回転させることで、アンテナ110の位置を回転移動させるためのものである。
【００４１】
具体的には、回転装置は、図示しないが、例えばモータの駆動力により駆動され、当該モータを移動制御装置（図示せず）により制御している。
例えば、アンテナ110を介する情報の読み書きに関する電波に指向性がある場合には、アンテナ110をアーム120によって中空部290内に進入させた状態で、アーム120の全体又は一部を回転させることで、アンテナ110の位置態様を変化させる。
【００４２】
これに対し、アンテナ110を介する情報の読み書きに関する電波に指向性が無く、無指向性の場合には、アンテナ110を回転させる必要が無い。
なお、指向性とは、アンテナ110から電波が出ていくとき（電波の放射特性）、方向によって強さが異なるという特定をいう。無指向性とは、電波の放射特性に方向の強弱がない、つまり、全方向にまんべんなく放射するという特性をいう。
（スロットマシン200）
スロットマシン200の筐体201は、大別すると、図１に示すように、次のパーツを備える。
【００４３】
（１）中空箱体210
（２）前面扉220
（３）ヒンジ装置230
なお、スロットマシン200のパーツは、上記した（１）〜（３）に限定されない。
（中空箱体210）
中空箱体210は、図１に示すように、前面の少なくとも一部を開放した中空箱形に形成され、その中空部290に、後述するが、リールユニット500、主基板510やサブ基板540等の電子制御装置、電源ユニット520、ホッパーユニット530、メダルセレクター550等の部材が配置されるようになっている。
【００４４】
具体的には、中空箱体210は、図１に示すように、底板240、左右の側板250,260、天板270、背板280から構成されている。そして、中空箱体210と前面扉220との間隔内には、中空部290が形成され、前記部材等を配置可能としている。
上記左右の側板250,260は、図１に示すように、筐体201の外側から中空部290に貫通する左右一対の取手穴251,261を設けている。
【００４５】
背板280には、図１に示すように、筐体201の外側から中空部290に貫通し、複数の通気溝281を設けている。
一方、中空箱体210の内面には、図示しないが、前面扉220を閉じた状態で中空箱体210の外部から中空部290への電波の侵入を遮断する、アルミ製のシートを貼付するなど、電波対策が可能な電波遮断部材を設けている。
【００４６】
なお、電波遮断部材（図示せず）は、前面扉220の内面を含めた筐体201の内面に限定されず、外面でも良く、或いは筐体201を構成する素材そのもの（底板240、左右の側板250,260、天板270、背板280）を電波遮断可能なもので設けても良い。
（検査穴271）
天板270には、図１〜３に示すように、筐体201の外側から中空部290に貫通し、読込・書込装置（図示せず）に係るアンテナ110をアーム120によって挿入可能な大きさの検査穴271を設けている。
【００４７】
なお、検査穴271は、天板270に限定されず、例えば図１に点線で示したように、検査穴262を右側の側板260に設けても良いし、或いは底板240、左側の側板250、背板260、前面扉220に設けても良い。また、検査穴271の数は、１個に限定されず、複数個設けても良い。さらに、検査穴271の形状は、図示した円形に限定されない。また、検査穴271を用いずに、上記した取手穴251,261や、通気溝281等の既存の穴や溝を、検査穴として使用しても良い。
【００４８】
検査穴271には、図２に示すように、次のパーツを備える。
なお、検査穴271のパーツは、次の（１）〜（２）に限定されない。
（１）蓋部材400
蓋部材400は、図２〜３に示すように、検査穴271を電波遮断可能に閉塞可能なものである。
【００４９】
なお、蓋部材400の電波遮断については、先に説明した電波遮断部材（図示せず）と同様に、アルミ製のシートを貼付したり、或いは蓋部材400を構成する素材そのものを電波遮断可能なものとしても良い。
具体的には、蓋部材400は、検査穴271より大径の円盤形の頭部401と、頭部401の下面から延び、検査穴271より小径の脚部402と、脚部402の先端部から環状に張り出し、検査穴271より大径で先細状の係止部403とを備える。そして、蓋部材400は、適度な弾性と剛性とを有する樹脂、例えばゴム等で一体成形されている。
【００５０】
蓋部材400の係止部403を、頭部401を押圧することで御検査穴271に挿入すると、検査穴271の内縁に押されて、係止部403が樹脂の弾性に抗して縮径し、検査穴271から中空部290へと進行する。そして、蓋部材400の係止部403は、検査穴271を通過すると、樹脂の弾性により復元し、図３に示すように、頭部401との間で天板270を表裏面から挟み持つことで、蓋部材400が検査穴271から外れなくなる。
【００５１】
一方、蓋部材400を外す際には、中空部290側から係止部403を筐体201の外方に向かって押圧することで引き抜けば良い。
なお、蓋部材400は、栓形のものに限定されず、スライド可能なシャッタ、或いは回転軸止された扉状の蓋等であっても良い。
（２）封印部材410
封印部材410は、図２〜３に示すように、検査穴271が蓋部材400により閉塞された状態を故意に解除されないように封印するためのものである。
【００５２】
具体的には、封印部材410は、片面に接着層を有する紙シールであって、蓋部材400の頭部401の上面と、天板270の上面とに跨らせて接着する。
封印部材410を剥がしたり、或いは蓋部材400を外すと、天板270の上面に封印部材410の一部が残り、封印部材410を剥がしたり、或いは蓋部材400を外した痕跡が残る。
なお、封印部材410は、紙シールに限定されず、紙以外のシール、テープ、或いは樹脂製のタグ等であっても良く、要は封印解除する際に何らかの痕跡を残させるものであれば良い。また、不正に封印が解除された際には、遊技の継続が困難になる仕組みを用いると好適である。
（前面扉220）
前面扉220は、図１に示すように、中空箱体210の左側の側板250にヒンジ装置230を介して開閉可能に取り付けられ、中空箱体210の解放部を開閉するものである。
【００５３】
また、前面扉220は、図示しないが、開動作を規制する施錠装置、リールユニット500のリールに表示された図柄の可変表示を視認させる窓、リールを回転・停止させる操作部等が設けられている。
（中空部290）
中空部290には、図１に示すように、大別すると、次のパーツが配置されている。
【００５４】
なお、中空部290のパーツは、次の（１）〜（６）に限定されない。
（１）リールユニット500
リールユニット500は、表面に複数の図柄が貼付された３つのリールをモータにより回転・停止させることで、図柄を可変表示可能なものである。
（２）主基板510（電子制御装置）
主基板510は、例えば遊技者にとって有利な遊技状態にするか否かを抽選により決定し、リールの回転処理をする等、遊技性に係る主要な制御を行うためのものであり、図示しないが、例えばＣＰＵ、ＲＯＭ、ＲＡＭ、Ｉ／Ｏ等を備えている。
【００５５】
具体的には、主基板510は、図示しないが、リールユニット500、ホッパーユニット530、メダルセレクター550にそれぞれ接続され、これらのパーツを制御している。
（３）電源ユニット520
電源ユニット520は、図示しないが、電力を供給するものである。
具体的には、電源ユニット520は、リールユニット500、主基板510、ホッパーユニット530、サブ基板540、メダルセレクター550にそれぞれ接続され、これらのパーツに電力を供給している。
【００５６】
（４）ホッパーユニット530
ホッパーユニット530は、リールの回転処理にもとづいて予め定められた図柄が停止した場合に、メダルを遊技利益として払い出し可能なものである。
（５）サブ基板540（電子制御装置）
サブ基板540は、主基板510からのコマンドにもとづいて、図示しないが、スロットマシン200に設けられた各種のランプ（例えばＬＥＤ）、スピーカ、液晶表示装置、７セグメント等の制御を行うためのものであり、図示しないが、例えばＣＰＵ、ＲＯＭ、ＲＡＭ、Ｉ／Ｏ等を備えている。
【００５７】
なお、サブ基板540の数は、１個に限らず、複数個でも良い。
また、電子制御装置を、主基板510とサブ基板540とから構成したが、主基板510だけから構成しても良い。
（６）メダルセレクター550
メダルセレクター550は、図示しないが、前面扉220に設けられたメダル投入口から遊技を開始させるために投入されたメダルをセレクトするものである。
【００５８】
具体的には、メダルセレクター550は、不正なメダルを機外に返却するとともに、適正なメダルは機内に取り込み、ホッパーユニット530に供給したり、或いは蓄積する。
なお、ホッパーユニット530は、遊技終了時に蓄積したメダルを返却する機能を有している。
（ＲＦＩＤ300）
ＲＦＩＤ300は、図１に示すように、次のパーツに取り付けられている。
【００５９】
なお、ＲＦＩＤ300を、次の（１）〜（６）に関する情報を少なくとも記憶させて個別に取り付けたが、（１）〜（６）のいずれか１個だけに、スロットマシン200に関する情報を記憶させたＲＦＩＤ300を取り付けても良い。また、ＲＦＩＤ300を取り付けるパーツ及びその取付け場所は、次の（１）〜（６）に限定されず、図示しないが、遊技操作部となるストップボタン、ＭＡＸＢＥＴボタン、スタートレバー等に取り付けても良い。
【００６０】
（１）リールユニット500
リールユニット500の側面に、図１に示すように、ＲＦＩＤ300aを取り付けている。
なお以下、ＲＦＩＤ300a〜300fの取付位置は、図示した側面に限定されない。
（２）主基板510
主基板510を不正に着脱不能に収納し、スロットマシン200の分離部材501に取り付けられるケース511内に、図１及び図４に示すように、ＲＦＩＤ300bを取り付けている。
【００６１】
具体的には、主基板510には、図４に示すように、タワー512を設け、その上面にＲＦＩＤ300bを取り付けている。タワー512を介してＲＦＩＤ300bを取り付けたのは、ケース511の表面にＲＦＩＤ300bを接近させることで、検出感度を向上するためである。
なお、ＲＦＩＤ300bの取付位置は、タワー512に限定されず、主基板510やケース511に取り付けても良い。
【００６２】
（３）電源ユニット520
電源ユニット520の側面に、図１に示すように、ＲＦＩＤ300cを取り付けている。
（４）ホッパーユニット530
ホッパーユニット530の側面に、図１に示すように、ＲＦＩＤ300dを取り付けている。
（５）サブ基板540
サブ基板540を保護するとともに、前面扉220に取り付けるケース541内に、図１に示すように、主基板510と同様に、ＲＦＩＤ300eを取り付けている。
【００６３】
（６）メダルセレクター550
メダルセレクター550には、図２に示すように、その中空部290に臨む背面に、ＲＦＩＤ300fを取り付けている。
なお、ＲＦＩＤ300fの取付位置は、メダルセレクター550の背面に限定されない。
（ＲＦＩＤ300の情報）
ＲＦＩＤ300には、上記した（１）〜（６）に固有な情報が記憶されている。
【００６４】
具体的には、ＲＦＩＤ300には、検査装置100による適宜のタイミングで、次の情報が読み込まれたり、書き込まれたり、更新される。
（１）ＩＤ番号
（２）メーカー情報
（３）ユニット名（例：コード）
（４）工場製造日
（５）工場検査日
（６）出荷日
（７）出荷先（例：コード）
（８）設置日
（９）設置場所
（１０）取付部品名（例：コード）
（１１）リサイクルのパラメータ
（１２）回収日
なお、ＲＦＩＤ300に対し記憶される情報は、上記した（１）〜（１２）に限定されない。
【００６５】
上記した（１１）のリサイクルのパラメータには、次の情報が含まれる。
（２０）リサイクルの有無
（２１）リサイクルの回数
（２２）耐久時間
（２３）リサイクル時の部品交換の有無
（２４）リサイクル時の交換部品名（例：コード）
なお、リサイクルのパラメータは、上記した（２０）〜（２４）に限定されない。
（情報の読み書きのタイミング）
検査装置100が所定のパーツに取り付けられるＲＦＩＤ300に対し行う情報の読み書きのタイミングは、次の通りである。
【００６６】
（１）製造工程
製造工程は、工場においてスロットマシン200を製造する工程であり、当該工程において、上記した（１）〜（１２）のうち、（１）〜（５）、及び（１０）〜（１１）の情報が書き込まれる。
また、パーツ点検時などに、書き込まれて記憶された（１）〜（５）、及び（１０）〜（１１）の情報が読み出される。
【００６７】
（２）設置工程
設置工程は、製造されたスロットマシン200をホールに搬入して設置する工程であり、当該工程において、上記した（１）〜（１２）のうち、（６）〜（９）の情報が書き込まれる。
また、パーツの点検時などに、書き込まれて記憶された（１）〜（１１）の情報が読み出される。
【００６８】
（３）回収工程
回収工程は、ホールに設置したスロットマシン200を取り外し、工場に回収後、分解を行い、リサイクル可能な部品と廃棄する部品とを仕分ける工程であり、当該工程において、上記した（１）〜（１２）のうち、（１２）の情報が書き込まれる。
また、パーツの点検時などに、書き込まれて記憶された（１）〜（１２）の情報が読み出される。
【００６９】
（４）リサイクル工程
リサイクル工程は、リサイクル可能な部品を使用して、スロットマシン200を製造する工程であり、当該工程以後において、上記した（１）〜（１２）の新規情報が適宜に書き換えられたり、書き加えられたりして更新される。
また、パーツの点検時などに、更新された情報を含めて記憶された（１）〜（１２）の情報が読み出される。
【図面の簡単な説明】
【００７０】
【図１】検査装置及びスロットマシンの斜視図である。
【図２】図１の一部拡大図である。
【図３】検査穴を閉塞した蓋部材の断面図である。
【図４】主基板及びケースの一部斜視図である。
【符号の説明】
【００７１】
100  検査装置                 110  読込・書込装置のアンテナ
120  アーム                   130  移動制御装置
200  スロットマシン           201  筐体
210  中空箱体                 220  前面扉
230  ヒンジ装置               240  底板
250,260  側板                 251,261  取手穴
262  検査穴                   270  天板
271  検査穴                   280  背板
281  通気溝                   290  中空部
300,300a〜300f  ＲＦＩＤ      400  蓋部材
401  頭部                     402  脚部
403  係止部                   410  封印部材
500  リールユニット           501  分離部材
510  主基板（電子制御装置）   511  ケース
512  タワー                   520  電源ユニット
530  ホッパーユニット         540  サブ基板（電子制御装置）
541  ケース                   550  メダルセレクター
【図１】
2005058313.tif 000003
【図２】
2005058313.tif 000004
【図３】
2005058313.tif 000005
【図４】
2005058313.tif 000006